【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
周囲に存在する機器であって、携帯型の機器を含む複数の機器から出力される電波の受信強度を当該機器毎に記憶部に保持させ、
所定タイミングで前記記憶部に保持されている前記機器毎の各受信強度を受信強度順に並べた場合の当該各受信強度のパターンに基づいて、ユーザに提供するコンテンツを決定する制御部を備える
電子機器。
【請求項２】
前記パターンは、前記機器毎の各受信強度を受信強度順に並べた場合の、当該各受信強度と、当該各受信強度の数との組み合わせからなるパターンである
請求項１に記載の電子機器。
【請求項３】
周囲に存在する機器であって、携帯型の機器を含む複数の機器から出力される電波の受信強度と、当該各機器から出力される電波に基づいて特定可能な当該各機器に関する情報とを関連付けて当該機器毎に記憶部に保持させ、
所定タイミングで前記記憶部に保持されている前記機器に関する情報を、当該機器に関する情報に関連付けられている受信強度の受信強度順に並べた場合の、当該機器に関する情報のパターンに基づいて、ユーザに提供するコンテンツを決定する制御部を備える
電子機器。
【請求項４】
前記機器に関する情報は、当該機器の種別、当該機器のメーカー、当該機器の型番、当該機器の固有情報、当該機器に付与された名称のうちの少なくとも１つである
請求項３に記載の電子機器。
【請求項５】
前記所定タイミングは、所定時間が経過したタイミングと、所望のコンテンツが提供対象として決定可能となったタイミングと、所定のユーザ操作が行われたタイミングと、前記電子機器の姿勢の変化が検出されたタイミングと、の何れかである
請求項１乃至４の何れかに記載の電子機器。
【請求項６】
前記所定時間が経過したタイミングは、前記電子機器の電源がオンされてからの経過時間が前記所定時間となったタイミングと、前記電子機器の電源がオンされてから前回のコンテンツ提供からの経過時間が前記所定時間となったタイミングと、前記電子機器が特定の機器からの電波を受信してからの経過時間が前記所定時間となったタイミングと、の何れかである
請求項５に記載の電子機器。
【請求項７】
前記電子機器が存在する位置に関する位置情報を取得する位置情報取得部をさらに備え、
前記制御部は、前記位置情報により特定される前記電子機器の位置が特定領域に含まれるか否かを判断し、前記電子機器の位置が前記特定領域に含まれる場合には、前記特定領域に関連付けられているコンテンツのうちから、前記パターンに基づいて、前記コンテンツを決定する
請求項１乃至６の何れかに記載の電子機器。
【請求項８】
前記制御部は、前記決定されたコンテンツを前記記憶部に保持させ、
所定期間内に前記記憶部に保持されたコンテンツを用いてゲームに関する処理を実行する
請求項１乃至７の何れかに記載の電子機器。
【請求項９】
前記制御部は、前記決定されたコンテンツに基づいて音声を音声出力部から出力させる出力処理と、前記決定されたコンテンツに基づいて画像を表示部に表示させる表示処理との少なくとも１つを実行する
請求項１乃至８の何れかに記載の電子機器。
【請求項１０】
周囲に存在する機器であって、携帯型の機器を含む複数の機器から出力される電波の受信強度を当該機器毎に記憶部に保持させる処理と、
所定タイミングで前記記憶部に保持されている前記機器毎の各受信強度を受信強度順に並べた場合の当該各受信強度のパターンに基づいて、ユーザに提供するコンテンツを決定する処理と
を含む情報処理方法。
【請求項１１】
周囲に存在する機器であって、携帯型の機器を含む複数の機器から出力される電波の受信強度と、当該各機器から出力される電波に基づいて特定可能な当該各機器に関する情報とを関連付けて当該機器毎に記憶部に保持させる処理と、
所定タイミングで前記記憶部に保持されている前記機器に関する情報を、当該機器に関する情報に関連付けられている受信強度の受信強度順に並べた場合の、当該機器に関する情報のパターンに基づいて、ユーザに提供するコンテンツを決定する処理と
を含む情報処理方法。
【請求項１２】
周囲に存在する機器であって、携帯型の機器を含む複数の機器から出力される電波の受信強度を当該機器毎に記憶部に保持させる機能と、
所定タイミングで前記記憶部に保持されている前記機器毎の各受信強度を受信強度順に並べた場合の当該各受信強度のパターンに基づいて、ユーザに提供するコンテンツを決定する機能と
をコンピュータに実現させるためのプログラム。
【請求項１３】
周囲に存在する機器であって、携帯型の機器を含む複数の機器から出力される電波の受信強度と、当該各機器から出力される電波に基づいて特定可能な当該各機器に関する情報とを関連付けて当該機器毎に記憶部に保持させる機能と、
所定タイミングで前記記憶部に保持されている前記機器に関する情報を、当該機器に関する情報に関連付けられている受信強度の受信強度順に並べた場合の、当該機器に関する情報のパターンに基づいて、ユーザに提供するコンテンツを決定する機能と
をコンピュータに実現させるためのプログラム。
【請求項１４】
携帯型の対象機器に関する位置情報と、前記対象機器の周囲に存在する他の機器であって、携帯型の機器を含む複数の機器に関する位置情報とを取得し、
前記対象機器に関する位置情報と、前記複数の機器に関する位置情報とを当該機器毎に記憶部に保持させ、
所定タイミングで前記記憶部に保持されている位置情報に基づいて、前記対象機器から前記複数の機器までの各距離を当該機器毎に算出し、
前記算出された各距離に基づいて、前記複数の機器を前記各距離の長さ順に並べた場合の当該複数の機器のパターンに基づいて、前記対象機器に提供するコンテンツを決定する制御部を備える
情報処理装置。
【請求項１５】
前記パターンは、前記複数の機器を前記各距離の長さ順に並べた場合の、当該複数の機器の識別情報の組み合わせからなるパターンである
請求項１４に記載の情報処理装置。
【請求項１６】
携帯型の対象機器に関する位置情報と、前記対象機器の周囲に存在する他の機器であって、携帯型の機器を含む複数の機器に関する位置情報とを取得する処理と、
前記対象機器に関する位置情報と、前記複数の機器に関する位置情報とを当該機器毎に記憶部に保持させる処理と、
所定タイミングで前記記憶部に保持されている位置情報に基づいて、前記対象機器から前記複数の機器までの各距離を当該機器毎に算出する処理と、
前記算出された各距離に基づいて、前記複数の機器を前記各距離の長さ順に並べた場合の当該複数の機器のパターンに基づいて、前記対象機器に提供するコンテンツを決定する処理と
を含む情報処理方法。
【請求項１７】
携帯型の対象機器に関する位置情報と、前記対象機器の周囲に存在する他の機器であって、携帯型の機器を含む複数の機器に関する位置情報とを取得する機能と、
前記対象機器に関する位置情報と、前記複数の機器に関する位置情報とを当該機器毎に記憶部に保持させる機能と、
所定タイミングで前記記憶部に保持されている位置情報に基づいて、前記対象機器から前記複数の機器までの各距離を当該機器毎に算出する機能と、
前記算出された各距離に基づいて、前記複数の機器を前記各距離の長さ順に並べた場合の当該複数の機器のパターンに基づいて、前記対象機器に提供するコンテンツを決定する機能と
をコンピュータに実現させるためのプログラム。
【請求項１８】
携帯型の対象機器の周囲に存在する他の機器であって、携帯型の機器を含む複数の機器に関する位置情報を取得し、
前記複数の機器に関する位置情報を当該機器毎に記憶部に保持させ、
所定タイミングで前記記憶部に保持されている位置情報に基づいて、前記複数の機器が存在する各位置を結ぶ直線により形成される形状を特定し、
前記形状に基づいて、前記対象機器に提供するコンテンツを決定する制御部を備える
情報処理装置。
【請求項１９】
前記形状は、三角形、四角形、他の多角形、楕円形、円形の何れかの形状である
請求項１８に記載の情報処理装置。
【請求項２０】
携帯型の対象機器の周囲に存在する他の機器であって、携帯型の機器を含む複数の機器に関する位置情報を取得する処理と、
前記複数の機器に関する位置情報を当該機器毎に記憶部に保持させる処理と、
所定タイミングで前記記憶部に保持されている位置情報に基づいて、前記複数の機器が存在する各位置を結ぶ直線により形成される形状を特定する処理と、
前記形状に基づいて、前記対象機器に提供するコンテンツを決定する処理と
を含む情報処理方法。
【請求項２１】
携帯型の対象機器の周囲に存在する他の機器であって、携帯型の機器を含む複数の機器に関する位置情報を取得する機能と、
前記複数の機器に関する位置情報を当該機器毎に記憶部に保持させる機能と、
所定タイミングで前記記憶部に保持されている位置情報に基づいて、前記複数の機器が存在する各位置を結ぶ直線により形成される形状を特定する機能と、
前記形状に基づいて、前記対象機器に提供するコンテンツを決定する機能と
をコンピュータに実現させるためのプログラム。
【手続補正２】
【補正対象書類名】明細書
【補正対象項目名】発明の名称
【補正方法】変更
【補正の内容】
【発明の名称】電子機器、情報処理装置、情報処理方法及びプログラム